(57)【特許請求の範囲】
【請求項１】
未処理バラスト水を保有する受入対象船舶から供給される未処理バラスト水を受け入れる受入手段と、前記受入手段により受け入れられた未処理バラスト水中の水生生物や細菌類を殺滅することにより処理水を生成する処理装置とを備えたバラスト水処理船であって、
前記受入手段は、未処理バラスト水を受け入れるための少なくとも一つの流入口と、前記流入口から受け入れられた未処理バラスト水の一部を他のバラスト水処理船に供給するための少なくとも一つの流出口とを備え、
前記受入手段により受け入れられた未処理バラスト水を、前記処理装置に移送する前に一旦貯留するバッファタンクを有することを特徴とするバラスト水処理船。
【請求項２】
前記受入手段は、それぞれ口径が異なる複数の前記流入口及び前記流出口を備えることを特徴とする請求項１記載のバラスト水処理船。
【請求項３】
前記処理装置により生成された処理水を貯留する貯留タンクと、
前記貯留タンク内の処理水を船外に供給する供給手段とを有することを特徴とする請求項１又は２記載のバラスト水処理船。
【請求項４】
前記処理装置は、未処理バラスト水中にオゾンを注入して水生生物や細菌類を殺滅するオゾン注入手段と、前記オゾン注入手段によりオゾンが注入されたバラスト水中の余剰オゾンを脱気する脱気手段とを有することを特徴とする請求項１〜３のいずれかに記載のバラスト水処理船。
【請求項５】
前記処理装置は、未処理バラスト水をスリット状の開口に通過させた際に発生する剪断力によって水生生物や細菌類を殺滅するスリット板を有することを特徴とする請求項１〜４のいずれかに記載のバラスト水処理船。
【請求項６】
請求項１〜５のいずれかに記載のバラスト水処理船を前記受入対象船舶の未処理バラスト水の排水能力に応じて複数隻用意し、
相互に隣接する一方のバラスト水処理船における前記受入手段の前記流出口と他方のバラスト水処理船における前記受入手段の前記流入口とを中継ホースで接続することにより、一方のバラスト水処理船から他方のバラスト水処理船へと至る未処理バラスト水の移送経路を構成し、
流入口が他のバラスト水処理船の流出口と接続されていないいずれか１隻のバラスト水処理船の該流入口と前記受入対象船舶の未処理バラスト水の排出口とを接続ホースで接続し、該受入対象船舶から排出される未処理バラスト水を受け入れ、そのうちの一部を前記中継ホースを介して他のバラスト水処理船に順次移送することにより、前記受入対象船舶から供給される未処理バラスト水を前記複数隻のバラスト水処理船における前記処理装置によってそれぞれ処理することを特徴とする未処理バラスト水の処理方法。
【発明の詳細な説明】
【技術分野】
【０００１】
本発明はバラスト水処理船及び未処理バラスト水の処理方法に関し、詳しくは、バラスト水の処理設備を持たず、未処理バラスト水がバラストタンクに貯留されている船舶から未処理バラスト水を受け入れ、水生生物や細菌類が殺滅されたクリーンな処理水として排出することのできるバラスト水処理船及び未処理バラスト水の処理方法に関する。
【背景技術】
【０００２】
コンテナ船等の貨物用船舶から排水されるバラスト水中には、それを取水した港湾に生息する水生生物や細菌類が混入しており、船舶の移動に伴い、これら水生生物や細菌類が同時に異国に運ばれることから、もともとその海域には生息していなかった生物種が、既存生物種に取って代わるといった生態系の破壊が深刻化している。
【０００３】
このような背景のもと、国際海事機関（ＩＭＯ）の外交会議において、船舶のバラスト水及び沈殿物の規制及び管理のための条約（以下、条約という）が採択され、バラスト水管理の実施義務が２００９年以降の建造船から適用される予定となっている。
【０００４】
このため、船舶からは条約を満たすクリーンなバラスト水を排水できるようにすることが求められており、従来から、バラスト水を処理するための具体的な処理方法が各種提案されている（特許文献１〜３）。
【０００５】
船舶から排出されるバラスト水が上記条約の要求を満たすには、バラスト水が上記条約の基準を満たすようにバラスト水を処理するための処理設備を各船舶に搭載する必要がある。しかし、特に既造船舶の場合、船内は元々各種の配管類が張り巡らされているため、処理設備を新たに搭載する余裕はなく、処理設備のための多くの配管や機器を追加配置することは困難である。
【０００６】
そこで、本出願人は、上記条約の基準を満たすバラスト処理水を生成でき、これを他の船舶に対して供給することのできるバラスト水供給船を既に提案している。このバラスト水供給船を港に用意しておけば、港に停泊しているバラスト水の処理設備を持たない船舶に対してバラスト処理水を供給することができ、その船舶が他の港において貨物を積載するためにバラスト水を排出しても、上記条約の排出基準を満たすことができる。
【０００７】
しかしながら、港によっては、このようなバラスト水供給船を用意できない場合も予想される。この場合、陸上にバラスト水の処理施設を設け、寄港した船舶のバラスト水を受け入れて陸上で処理した後、海に排出することも考えられるが、港に隣接する陸地に処理施設用の敷地を確保することは極めて困難である。また、船舶からのバラスト水の排出は、港の沖合いで行われることも多く、この場合は、船舶が入港する前にバラスト水を処理できるようにすることが必要とされる。
【０００８】
このため、従来、バラスト水の処理設備を持たない船舶から未処理バラスト水を受け入れ、それを処理した後に海に排出することのできる処理設備を備えた作業船（バラスト水処理船）も提案されている（特許文献４）。
【特許文献１】特開２００４−１６０４３７号公報
【特許文献２】特開２００３−２００１５６号公報
【特許文献３】米国特許第６１２５７７８号明細書
【特許文献４】特開２００５−３１９９７５号公報
【発明の開示】
【発明が解決しようとする課題】
【０００９】
バラスト水処理船によって船舶から排出される未処理バラスト水を処理する場合、次のような解決すべき新たな問題がある。
【００１０】
すなわち、バラスト水の排水能力は船舶の排水ポンプ能力によって決まるが、各港湾では多様な排水能力を有する船舶が往来するため、バラスト水処理船は、これらの多様な排水能力を有する船舶に対応できる必要がある。しかし、多様な排水能力を有する船舶に対応させるために処理能力（受け入れ能力）の異なるバラスト水処理船を用意することは現実的には不可能である。
【００１１】
また、想定される最大排水能力の船舶に対応できるだけの処理能力を有する大型のバラスト水処理船を用意した場合、狭い港湾内では停泊スペースを確保することが困難となる問題があり、また、機動性も悪くなる。しかも、常に大型船舶から未処理バラスト水を受け入れるとは限らないため、比較的小型の船舶から未処理バラスト水を受け入れる場合にはかえって効率が悪い問題がある。
【００１２】
一方、停泊スペースや機動性を優先させて小型のバラスト水処理船を用意した場合、大型船舶への対応能力が不足するため、大型船舶から排出される未処理バラスト水の処理を完了するまでに時間が掛かる結果、船舶の運航スケジュールに支障をきたしてしまうといった問題がある。
【００１３】
そこで、本発明は、バラスト水の処理設備を持たず、未処理バラスト水がバラストタンクに貯留されている受入対象船舶の排水能力に柔軟に対応して、未処理バラスト水を処理することが可能なバラスト水処理船及び未処理バラスト水の処理方法を提供することを課題とする。
【００１４】
本発明の他の課題は、以下の記載により明らかとなる。
【課題を解決するための手段】
【００１５】
上記課題は、以下の各発明によって解決される。
【００１６】
（請求項１）
未処理バラスト水を保有する受入対象船舶から供給される未処理バラスト水を受け入れる受入手段と、前記受入手段により受け入れられた未処理バラスト水中の水生生物や細菌類を殺滅することにより処理水を生成する処理装置とを備えたバラスト水処理船であって、
前記受入手段は、未処理バラスト水を受け入れるための少なくとも一つの流入口と、前記流入口から受け入れられた未処理バラスト水の一部を他のバラスト水処理船に供給するための少なくとも一つの流出口とを備え、
前記受入手段により受け入れられた未処理バラスト水を、前記処理装置に移送する前に一旦貯留するバッファタンクを有することを特徴とするバラスト水処理船。
【００１７】
（請求項２）
前記受入手段は、それぞれ口径が異なる複数の前記流入口及び前記流出口を備えることを特徴とする請求項１記載のバラスト水処理船。
【００１９】
（請求項３）
前記処理装置により生成された処理水を貯留する貯留タンクと、
前記貯留タンク内の処理水を船外に供給する供給手段とを有することを特徴とする請求項１又は２記載のバラスト水処理船。
【００２０】
（請求項４）
前記処理装置は、未処理バラスト水中にオゾンを注入して水生生物や細菌類を殺滅するオゾン注入手段と、前記オゾン注入手段によりオゾンが注入されたバラスト水中の余剰オゾンを脱気する脱気手段とを有することを特徴とする請求項１〜３のいずれかに記載のバラスト水処理船。
【００２１】
（請求項５）
前記処理装置は、未処理バラスト水をスリット状の開口に通過させた際に発生する剪断力によって水生生物や細菌類を殺滅するスリット板を有することを特徴とする請求項１〜４のいずれかに記載のバラスト水処理船。
【００２２】
（請求項６）
請求項１〜５のいずれかに記載のバラスト水処理船を前記受入対象船舶の未処理バラスト水の排水能力に応じて複数隻用意し、
相互に隣接する一方のバラスト水処理船における前記受入手段の前記流出口と他方のバラスト水処理船における前記受入手段の前記流入口とを中継ホースで接続することにより、一方のバラスト水処理船から他方のバラスト水処理船へと至る未処理バラスト水の移送経路を構成し、
流入口が他のバラスト水処理船の流出口と接続されていないいずれか１隻のバラスト水処理船の該流入口と前記受入対象船舶の未処理バラスト水の排出口とを接続ホースで接続し、該受入対象船舶から排出される未処理バラスト水を受け入れ、そのうちの一部を前記中継ホースを介して他のバラスト水処理船に順次移送することにより、前記受入対象船舶から供給される未処理バラスト水を前記複数隻のバラスト水処理船における前記処理装置によってそれぞれ処理することを特徴とする未処理バラスト水の処理方法。
【発明の効果】
【００２３】
本発明によれば、バラスト水の処理設備を持たず、未処理バラスト水がバラストタンクに貯留されている受入対象船舶の排水能力に柔軟に対応して、未処理バラスト水を処理することが可能なバラスト水処理船を提供することができる。
【００２４】
また、本発明によれば、バラスト水の処理設備を持たず、未処理バラスト水がバラストタンクに貯留されている受入対象船舶の排水能力に柔軟に対応して、未処理バラスト水を処理することが可能な未処理バラスト水の処理方法を提供することができる。
【発明を実施するための最良の形態】
【００２５】
以下、本発明の実施の形態について図面を用いて説明する。
【００２６】
図１は、本発明に係るバラスト水処理船の一例を示している。
【００２７】
バラスト水処理船１は、デッキ上に、未処理バラスト水を保有する受入対象船舶（図示せず）から供給される未処理バラスト水を受け入れるための受入装置２を備えていると共に、船体内に、該受入装置２から受け入れられた未処理バラスト水を一旦貯留するためのバッファタンク３及び未処理バラスト水を処理するための処理装置４を備えている。
【００２８】
バラスト水処理船１としては、自立航行するための機関を持った船に限らず、自立航行するための機関を持たないバージ船であってもよい。また、バッファタンク３及び処理装置４の少なくともいずれかをデッキ上に設ける態様でもよい。
【００２９】
ここで、未処理バラスト水とは、船舶のバラストタンクに貯留されているバラスト水であって、上記条約の基準を満たすための処理が何ら施されていないバラスト水のことである。また、バラスト水とは、船舶のバラストタンクに貯留するために取水された水又は船舶のバラストタンク内に貯留されている水である。但し、ここでいう船舶には、本発明に係るバラスト水処理船は含まれない。このようなバラスト水には例えば海水、淡水等が使用されるが、本発明では海水が好ましく使用される。かかるバラスト水には、取水した水域に生息する動物プランクトン、植物プランクトン、微生物等の水生生物や大腸菌等の細菌類が含まれている。
【００３０】
受入装置２は、未処理バラスト水を保有する受入対象船舶（図示せず）から供給される未処理バラスト水を受け入れるための受入手段であり、その詳細を図２に示す。
【００３１】
図２は、受入装置２の詳細を示す平面図であり、受入装置２は、デッキ上において船首方向（図中の右方向）に向けて延び、一端が船体内のバッファタンク３に繋がる１本の主配管２１と、該主配管２１と交差して設けられ、船体を横断する方向（図中の上下方向）に延びる複数本（図示例では５本）の副配管２２Ａ〜２２Ｅとを有している。
【００３２】
各副配管２２Ａ〜２２Ｅの先端は、それぞれホース接続口２３Ａ〜２３Ｅを有している。各ホース接続口２３Ａ〜２３Ｅは、副配管２２Ａ〜２２Ｅによって、主配管２１への未処理バラスト水の流入及び主配管２１からの未処理バラスト水の流出のいずれも可能となっている。すなわち、各ホース接続口２３Ａ〜２３Ｅは、未処理バラスト水を受け入れるための流入口であると同時に、その未処理バラスト水を他のバラスト水処理船１に供給するための流出口でもあり得る。
【００３３】
各ホース接続口２３Ａ〜２３Ｅは、それぞれ開閉弁２４Ａ〜２４Ｅによって開閉される。各開閉弁２４Ａ〜２４Ｅは、例えば操舵室１１内の制御装置１２によって個別に開閉制御される。また、主配管２１には逆止弁２５が設けられており、受け入れ時に、船体内部側からの逆流が阻止される。
【００３４】
各副配管２２Ａ〜２２Ｅは同一径ではなく径が異なっている。従って、各ホース接続口２３Ａ〜２３Ｅも径が異なっている。ここでは、副配管２２Ａは、流量が３０００ｍ3／ｈｒ用の配管とされており、以下同様に、副配管２２Ｂは２０００ｍ3／ｈｒ用、副配管２２Ｃは１０００ｍ3／ｈｒ用、副配管２２Ｄは８００ｍ3／ｈｒ用、副配管２２Ｅは６００ｍ3／ｈｒ用の配管とされている。このため、受け入れられる未処理バラスト水の受入量に応じて、様々な口径を有するホースの接続部と接続可能である。
【００３５】
本実施形態では、バラスト水処理船１の未処理バラスト水の処理装置４での処理能力が１０００ｍ3／ｈｒの能力を有するものとする。従って、受け入れられる未処理バラスト水の供給量が１０００ｍ3／ｈｒである場合は、このうちの副配管２２Ｃが専ら使用されるということになる。この受入装置２の機能を利用した処理方法についての更に詳細な説明は後述する。
【００３６】
かかる受入装置２によって受け入れられる未処理バラスト水は、主配管２１を通ってバッファタンク３に送られる。バッファタンク３は、受け入れられた未処理バラスト水を一旦貯留することで、処理装置４による未処理バラスト水の処理能力を超える未処理バラスト水でもある程度の受け入れを可能とする。ここではデッキ上に２基のバッファタンク３１、３２を備えているが、バッファタンク３の数及び容量は適宜設定される。かかるバッファタンク３は本発明において好ましく設けられる。
【００３７】
受入装置２によって受け入れられた未処理バラスト水は、バッファタンク３を介して処理装置４に送られる。
【００３８】
処理装置４は、受け入れられた未処理バラスト水中の水生生物や細菌類を殺滅して、クリーンな処理水を生成する。この処理装置４としては、未処理バラスト水中の水生生物や細菌類を、条約を満足する程度に殺滅可能であればよく、例えば熱、超音波、紫外線、銀イオン、電気等を用いた物理的処理法、濾過、剪断力、キャビテーション等を用いた機械的処理法、オゾン、酸素除去、塩素等を用いた化学的処理法、これらの２種以上の処理法を複合させた複合処理法等が挙げられる。
【００３９】
本発明において好ましい処理装置４の一例について図３を用いて説明するが、処理装置４は何ら図示するものに限定されない。
【００４０】
図３は処理装置４の一例を示す構成図であり、４１はフィルター、４２はポンプ、４３は処理ライン、４４はオゾン混合装置、４５はオゾン発生装置、４６はスリット板、４７は脱気タンク、４８は排オゾン分解装置である。
【００４１】
処理装置４では、制御装置１２によって制御されるポンプ４２の作動により、バッファタンク３から処理装置４内に未処理バラスト水が取り込まれ、処理ライン４３内を移送される過程で、水生生物や細菌類を殺滅するための処理がなされる。以下、処理装置４内に導入された未処理バラスト水を処理対象水と称する。
【００４２】
フィルター４１は、処理装置４に導入された処理対象水から夾雑物を取り除くために設けられている。このフィルター４１は、後段のオゾン混合装置４４によるオゾン注入やスリット板４６によって水生生物や細菌類が殺滅処理されることから、処理対象水中のゴミ等の比較的大きな夾雑物を取り除ければよい。
【００４３】
オゾン混合装置４４は、処理ライン４３中を移送される処理対象水に、オゾン発生装置４５によって生成されたオゾンを混入させ、処理対象水中の水生生物や細菌類をオゾンの強酸化作用によって化学的に殺滅する。ここでは、オゾン混合装置４４として、処理ライン４３中の処理対象水とオゾンとを気液混合する気液混合装置（オゾンインジェクター）を用いた例を示しているが、処理対象水中に所定濃度のオゾンを混入させることができるものであれば特に限定されない。例えば、スタティックミキサー、ラインミキサーなどの静的混合機を使用することもできる。
【００４４】
オゾン発生装置４５は、例えばコンプレッサー４５１、酸素発生器４５２及びオゾン発生器４５３を有しており、酸素発生器４５２及びオゾン発生器４５３を経て生成されたオゾンが、コンプレッサー４５１によってオゾン供給ライン４５４を介してオゾン混合装置４４に供給され、処理対象水中に所定濃度のオゾンを混入させる。
【００４５】
スリット板４６は、オゾン混合装置４４によってオゾンが混入された後の処理対象水を高圧で通過させることにより、その際に発生する剪断力によって水生生物や細菌類を機械的に破壊して殺滅する。
【００４６】
このスリット板４６の詳細を図４〜図８に示す。
【００４７】
図４は、処理ライン４３内のスリット板４６を示す断面図、図５は、図４の(v)−(v)線断面図であり、これらに示すように、スリット板４６は処理ライン４３の内部に、該処理ライン４３の流路全体を塞ぐようにして配設されている。
【００４８】
スリット板４６には複数のスリット状の開口４６１が形成されている。開口４６１の開口幅は、処理対象水中の水生生物や細菌類を剪断力によって破壊する効果が充分に発揮され得る幅に設定されるが、好ましくは２００μｍ〜５００μｍとされる。これにより、処理対象水を通過させる際に発生する剪断現象によって１０μｍ程度の水生生物も殺滅可能である。
【００４９】
処理ライン４３内を移送される処理対象水は、ポンプ４２の作動によってこのスリット板４６に向かって高圧で圧送される。圧送された処理対象水は乱流状態のままスリット板４６のスリット状の開口４６１を通過しようとし、この開口４６１を通過する際に剪断現象が生じることで、処理対象水中の水生生物や細菌類を破壊して殺滅する。
【００５０】
かかる剪断力による破壊、殺滅効果をより発揮させるために、スリット板４６は処理対象水の流れ方向に対して直交する方向に取り付けることが好ましい。
【００５１】
また、スリット板４６は、処理ライン４３内に密接して取り付けられるが、図示しないが、フランジ等によって処理ライン４３に介設することが好ましい。これによって、スリット板４６を処理ライン４３から容易に取り外し可能とすることができ、必要に応じてスリット板４６を洗浄することができる。
【００５２】
スリット板４６に形成される複数のスリット状の開口４６１の形状は、図５に例示するように、細長い長方形状からなるものが好ましい態様として挙げられる。開口４６１の本数は特に限定されず、処理対象水の圧力損失、剪断現象の発生状況に応じて適宜設定される。
【００５３】
なお、各開口４６１は全て同じ長さに形成してもよいが、図６に示すように、処理ライン４３の断面形状に合わせて、中央部を長く、端部に行くほど短く形成してもよい。また、各開口４６１の形状は直線状に限らず、図７に示すように、円弧状等の曲線状に形成してもよい。
【００５４】
更に、処理ライン４３内に配設されるスリット板４６の枚数は１枚に限らず、図８に示すように、複数枚（４６Ａ、４６Ｂ）を間隔をおいて配設するようにしてもよい。枚数は複数枚であれば特に限定されない。
【００５５】
複数枚のスリット板４６Ａ、４６Ｂを配設する場合は、各スリット板４６Ａ、４６Ｂのそれぞれの開口４６１の幅、大きさ、本数、形状を異ならせることが、剪断現象をより効果的に発揮させることができるようにする上では好ましい。また、隣接するスリット板４６Ａ、４６Ｂのそれぞれの開口４６１の配置を異ならせ、例えば各スリット板４６Ａ、４６Ｂのそれぞれの開口４６１の長さ方向が直交するように配置させるようにすることも、同様の理由から好ましい。これらにより、剪断現象をより一層効果的に発揮させることができ、処理対象水中の水生生物や細菌類の破壊、殺滅効果をより向上させることができる。
【００５６】
スリット板４６を通過した後の処理対象水は脱気タンク４７に送られ、処理対象水中の未溶解の余剰オゾンの脱気が行われる。脱気タンク４７内には、タンク底部からタンク天井部の手前に亘って立設された仕切り壁４７１と、タンク天井部からタンク底部の手前に亘って垂設された仕切り壁４７２とが交互に並設され、処理対象水の上向流路と下向流路とを交互に形成している。これにより、脱気タンク４７内に導入された処理対象水は、上向流路と下向流路とを交互に通過し、その過程で、処理対象水中に気泡状態で混入する余剰オゾンを処理対象水中から除去し、タンク上部の排オゾン室４７３に溜める。
【００５７】
排オゾン室４７３に溜まった排オゾンは、脱気タンク４７から排オゾン分解装置４８に送られて分解され、例えばデッキ上から船外に排出される。
【００５８】
このようにして、処理対象水は水生生物や細菌類が所定値以下となるように殺滅されたクリーンな処理水となる。
【００５９】
なお、図３に示す態様では、オゾン混合装置４４により処理対象水中にオゾンを混入させた後にスリット板４６を通過させて処理するようにしたが、これに限定されず、スリット板４６を通過させた後の処理対象水にオゾン混合装置４４によってオゾンを混入させて処理する構成としてもよい。
【００６０】
更に、処理装置４の他の態様として、水生生物や細菌類を濾過することにより除去可能な例えばＭＦ膜やＵＦ膜等の膜装置を用いることもできる。膜装置の後段に、更に図３に示すようにオゾン混合装置４４、オゾン発生装置４５及び脱気タンク４７を配置してオゾン注入及び余剰オゾンの脱気を行うようにしてもよい。
【００６１】
かかる処理装置４を通過することにより生成された処理水は、上記条約の排出基準を満たすため、制御装置１２によって制御される排水ポンプ５によってバラスト水処理船１からそのまま海に排出すればよい。
【００６２】
また、図示しないが、バラスト水処理船１のデッキ上又は船体内部に、貯留タンクを設けておき、処理水を貯留タンク内に貯留しておくことも好ましい。この場合、貯留タンク内の処理水を船外に供給するための供給手段を備えることにより、必要に応じて、バラスト水の処理設備を持たない船舶、故障等により処理設備が稼動不能な船舶等に対して処理水を供給することができる。
【００６３】
また、このような貯留タンクを有することにより、処理装置４によって生成された処理水が条約を満足する程度に水生生物や細菌類が殺滅されたクリーンな処理水であることを、貯留タンク内の処理水をサンプリングすることにより事前に検査して確認しておくことも可能となる。従って、このように処理水がクリーンな処理水であることを検査するための検査手段を備えることは好ましい。水生生物や細菌類が所定値以下となるように殺滅されたクリーンな処理水であることをサンプリング結果に基づいて供給対象船舶に対して提示することができ、安全で安心な処理水を提供することができる。
【００６４】
また、処理水を海に排出する場合でも、一旦貯留タンクを経由させることにより、かかる検査手段によってクリーンな処理水であることが確認された後に海に排出させることができて好ましい。
【００６５】
次に、かかるバラスト水処理船１によって、該バラスト水処理船１の処理能力を超える排水能力を有する受入対象船舶から未処理バラスト水を受け入れて処理を行う方法について、図９、図１０を用いて説明する。
【００６６】
ここでは、未処理バラスト水を保有する受入対象船舶２００の未処理バラスト水の排水能力が３０００ｍ3／ｈｒであるものとする。本実施形態に示すバラスト水処理船１の処理能力は１０００ｍ3／ｈｒであるから、バラスト水処理船１を３隻使用することによって、この受入対象船舶２００から排水される未処理バラスト水に対応することができる。
【００６７】
まず、未処理バラスト水を排水しようとする受入対象船舶２００にバラスト水処理船１を３隻（１Ａ、１Ｂ、１Ｃ）並列させて横付けする。隣接するバラスト水処理船１Ａ〜１Ｃ同士は、係船装置１０１によって一定の距離を維持するように係留される。
【００６８】
その後、受入対象船舶２００に最も近い側のバラスト水処理船１Ａにおける受入装置２の３０００ｍ3／ｈｒ用の副配管２２Ａの一方のホース接続口２３Ａに、受入対象船舶２００側から延びる供給用ホース２０１を接続する。
【００６９】
次に、このバラスト水処理船１Ａにおける受入装置２の２０００ｍ3／ｈｒ用の副配管２２Ｂの一方のホース接続口２３Ｂと、このバラスト水処理船１Ａに隣接する隣接するバラスト水処理船１Ｂにおける受入装置２の同じく２０００ｍ3／ｈｒ用の副配管２２Ｂの一方のホース接続口２３Ｂとを、中継ホース１０２によって連結する。
【００７０】
また、真ん中のバラスト水処理船１Ｂにおける受入装置２の１０００ｍ3／ｈｒ用の副配管２２Ｃの一方のホース接続口２３Ｃと、最も外側のバラスト水処理船１Ｃにおける受入装置２の１０００ｍ3／ｈｒ用の副配管２２Ｃの一方のホース接続口２３Ｃとを、中継ホース１０３によって連結する。
【００７１】
バラスト水処理船１の受入装置２は、主配管２１の両側にそれぞれ各副配管２２Ａ〜２２Ｅの両端の各ホース接続口２３Ａ〜２３Ｅが配列されるため、かかるホース１０２、１０３及び供給用２０１との接続作業は、バラスト水処理船１の右舷側左舷側のいずれにおいても可能である。
【００７２】
ここで、受入対象船舶２００には、船体２０２に供給用ホース２０１を有する供給管２０３が設けられており、船体２０２の内部に設けられたバラスト水の排水ライン２０４によって、バラストタンク（図示せず）から排水ポンプ２０５の作動によって、バラスト水処理船１に向けて未処理バラスト水が供給されるようになっている。
【００７３】
このように各バラスト水処理船１Ａ〜１Ｃと受入対象船舶２００とを中継ホース１０２、１０３及び供給用ホース２０１によって連結した後、受入対象船舶２００の供給ポンプ２０５を作動させると、受入対象船舶２００からバラスト処理水供給船１Ａに、受入対象船舶２００の排水能力である３０００ｍ3／ｈｒの未処理バラスト水が供給される。バラスト水処理船１Ａの処理能力は１０００ｍ3／ｈｒであるため、受け入れられた３０００ｍ3／ｈｒの未処理バラスト水のうち、その一部（２０００ｍ3／ｈｒ）が、副配管２２Ｂ及び中継ホース１０２を介して、隣接するバラスト水処理船１Ｂに供給され、１０００ｍ3／ｈｒの未処理バラスト水がバラスト水処理船１Ａの処理装置４によって処理される。
【００７４】
また、バラスト水処理船１Ｂの処理能力も１０００ｍ3／ｈｒであるため、受け入れられた２０００ｍ3／ｈｒの未処理バラスト水のうち、その一部（１０００ｍ3／ｈｒ）が、副配管２２Ｃ及び中継ホース１０３を介して、隣接するバラスト水処理船１Ｃに供給され、１０００ｍ3／ｈｒの未処理バラスト水がバラスト水処理船１Ｂの処理装置４によって処理される。
【００７５】
さらに、バラスト水処理船１Ｃの処理能力も１０００ｍ3／ｈｒであるため、受け入れられた１０００ｍ3／ｈｒの未処理バラスト水が処理装置４によって処理される。
【００７６】
なお、このとき、各バラスト水処理船１Ａ〜１Ｃにおいて受入装置２の使用されないホース接続口２３Ａ〜２３Ｅの開閉弁２４Ａ〜２４Ｅは閉じておく。
【００７７】
このようにして、受入対象船舶２００の排水能力である３０００ｍ3／ｈｒの未処理バラスト水を、各々１０００ｍ3／ｈｒの処理能力を有する３隻のバラスト水処理船１Ａ〜１Ｃによって並行処理する。このため、受入対象船舶２００は、通常通りバラスト水を排水する場合と何ら遜色なくバラストタンク内からバラスト水（未処理バラスト水）を排水することができる。
【００７８】
すなわち、本発明に係るバラスト水処理船１及びこれを用いた未処理バラスト水の処理方法によれば、受入対象船舶２００から排水される未処理バラスト水を複数隻で処理することにより、受入対象船舶２００の排水能力に対応した未処理バラスト水の処理が可能となる。このため、バラスト水処理船１をわざわざ大型化しなくても、未処理バラスト水の処理設備を持たない受入対象船舶２００の排水能力に柔軟に対応して未処理バラスト水を処理することが可能となる。受入対象船舶２００は運航スケジュールに支障をきたすおそれはない。
【００７９】
要するに、バラスト水処理船１の処理能力をＸ、受入対象船舶２００の排水能力をＹとしたとき、Ｙ＞Ｘであれば、バラスト水処理船１はＹ／Ｘ隻用意すればよいことになる。
【００８０】
また、受入対象船舶２００側は、供給用ホース２０１を有する供給管２０３を設け、これを既設の排水ライン２０４と接続するだけでよく、新たに処理装置を組み込む場合のような大掛かりな改修工事を不要にできるが、もちろん、受入対象船舶２００は何ら改修工事をしなくてもよく、通常は船体側面に開口するバラスト水の排水口とバラスト水処理船１とを直接ホースで接続するようにしてもよい。
【００８１】
また、供給用ホース２０１はバラスト水処理船１側が保有する態様とすることもできる。
【００８２】
バラスト水処理船１は、受け入れられた未処理バラスト水の水量を計測する計測手段である水量計１３が設けられており、その計測結果に基づいて制御装置１２によって積算流量や処理完了予想時間等を計算し、その情報を表示したり、受入対象船舶２００に対してその情報を提示したりすることができる。また、計測結果に応じて課金することも可能となる。
【００８３】
図１１は、受入装置の他の態様を示している。図２と同一符号は同一構成を示している。
【００８４】
この受入装置２０は、デッキ上に設けられた主配管２１の先端に、Ｔ字状に分岐された副配管２６が１本だけ設けられている。副配管２６の両端には、それぞれホース接続口２７が設けられている。なお、２８は開閉弁である。
【００８５】
２つのホース接続口２７は同一構成であるため、一方のホース接続口２７について図１２を用いて説明する。
【００８６】
ホース接続口２７は、口径の異なる複数のホース接続口２７ａ〜２７ｅが、口径の大きいホース接続口２７ａから口径の小さいホース接続口２７ｅに行くに従って先端に突出するように、同芯状に設けられている。
【００８７】
ここでは、例えばホース接続口２７ａは３０００ｍ3／ｈｒ用、ホース接続口２７ｂは２０００ｍ3／ｈｒ用、ホース接続口２７ｃは１０００ｍ3／ｈｒ用、ホース接続口２７ｄは８００ｍ3／ｈｒ用、ホース接続口２７ｅは６００ｍ3／ｈｒ用のホース接続口とされている。このため、上述した受入装置２と全く同様に、対象船舶からの未処理バラスト水の排水量に応じて、複数種の口径を有するホースの接続部と接続可能である。特に、この受入装置２０によれば、１本の副配管２６だけで、複数種類の口径のホースの接続部と接続することができるため、デッキ上の設置スペースを著しく省スペース化することができることはもちろんであるが、図２に示す受入装置２の場合のように、流入側のホースと流出側のホースの接続箇所がデッキ上の前後方向に大きく異なるようなことがなく、いずれの接続作業もほぼ同一箇所で行うことができるため作業の簡略化も図ることができる。
【図面の簡単な説明】
【００８８】
【図１】本発明に係るバラスト水処理船の一例を示す構成図
【図２】受入装置の一例を示す平面図
【図３】処理装置の一例を示す構成図
【図４】処理ライン内のスリット板を示す断面図
【図５】図４の(v)−(v)線断面図
【図６】スリット板の開口の他の例を示す断面図
【図７】スリット板の開口の更に他の例を示す断面図
【図８】処理ライン内のスリット板の他の例を示す断面図
【図９】バラスト水処理船によって対象船舶からの未処理バラスト水を処理する方法を説明する側面図
【図１０】バラスト水処理船によって対象船舶からの未処理バラスト水を処理する方法を説明する平面図
【図１１】受入装置の他の態様を示す平面図
【図１２】図１１に示す受入装置のホース接続口の部分を示す拡大図
【符号の説明】
【００８９】
１、１Ａ〜１Ｃ：バラスト水処理船
１１：操舵室
１２：制御装置
１３：水量計
２、２０：受入装置
２１：主配管
２２Ａ〜２２Ｅ：副配管
２３Ａ〜２３Ｅ：ホース接続口
２４Ａ〜２４Ｅ：開閉弁
２５：逆止弁
２６：副配管
２７、２７ａ〜２７ｅ：ホース接続口
３、３１、３２：バッファタンク
４：処理装置
４１：フィルター
４２：取水ポンプ
４３：処理ライン
４４：オゾン混合装置
４５：オゾン発生装置
４５１：コンプレッサー
４５２：酸素発生器
４５３：オゾン発生器
４５４：オゾン供給ライン
４６、４６Ａ、４６Ｂ：スリット板
４６１：開口
４７：脱気タンク
４７１、４７２：仕切り壁
４７３：排オゾン室
４８：排オゾン分解装置
５：排水ポンプ
１０２、１０３：中継ホース
【図１】
0005173544.tif 000002
【図２】
0005173544.tif 000003
【図３】
0005173544.tif 000004
【図４】
0005173544.tif 000005
【図５】
0005173544.tif 000006
【図６】
0005173544.tif 000007
【図７】
0005173544.tif 000008
【図８】
0005173544.tif 000009
【図９】
0005173544.tif 000010
【図１０】
0005173544.tif 000011
【図１１】
0005173544.tif 000012
【図１２】
0005173544.tif 000013